(57)【要約】【課題】  撮像装置に設けられており、画面の明るさを短時間で調整可能な表示装置を提供すること。【解決手段】  表示装置５８は、被写体の画像が結像された一対のラインセンサ７４Ｌ，７４Ｒの出力信号を積分して一対の測距演算用データを生成し、その一対の測距演算用データに基づいて被写体までの距離を演算するパッシブ測距方式の測距手段１６と、被写体の画像を撮像する撮像手段３４とを備える撮像装置１０に設けられている。表示装置５８は、撮像手段によって撮像された被写体の画像を表示する表示部６４と、測距演算用データが測距手段において生成されるまでの出力信号の積分時間を検出する積分時間検出部１０４と、積分時間検出部によって検出された積分時間に基づいて表示部の明るさを制御する明るさ制御部１０６とを備えており、撮像手段によって撮像された被写体の画像を表示する。【選択図】  図４
2005260847.tif 000002
【特許請求の範囲】
【請求項１】
被写体の画像が結像された一対のラインセンサの出力信号を積分して一対の測距演算用データを生成し、その一対の測距演算用データに基づいて前記被写体までの距離を演算するパッシブ測距方式の測距手段と、前記被写体の画像を撮像する撮像手段とを備える撮像装置に設けられ、前記撮像手段によって撮像された前記被写体の画像を表示する表示装置であって、
前記撮像手段によって撮像された前記被写体の画像を表示する表示部と、
前記測距演算用データが前記測距手段において生成されるまでの前記出力信号の積分時間を検出する積分時間検出部と、
前記積分時間検出部によって検出された積分時間に基づいて前記表示部の明るさを制御する明るさ制御部と
を備えることを特徴とする表示装置。
【請求項２】
前記表示部は、液晶表示パネルと、その液晶表示パネルを照明するバックライトとを有しており、
前記明るさ制御部は、前記バックライトの光量を制御することによって前記表示部の明るさを制御することを特徴とする請求項１記載の表示装置。
【請求項３】
前記撮像装置が備える前記測距手段は、前記一対のラインセンサからの出力信号を受けて前記一対の測距演算用データを生成する信号処理部を有し、
前記信号処理部は、前記一対の測距演算用データを生成する間、データ生成信号を前記積分時間検出部に出力し続け、
前記積分時間検出部は、前記データ生成信号を受けている時間を計測することを特徴とする請求項１又は請求項２に記載の表示装置。
【発明の詳細な説明】
【技術分野】
【０００１】
本発明は、パッシブ測距方式の測距手段を備えた撮像装置に設けられる表示装置に関するものである。
【背景技術】
【０００２】
近年、撮影した被写体の画像（被写体像）を表示する液晶ディスプレイ（ＬＣＤ）を有する撮像装置（デジタルカメラやビデオカメラ）が知られている。このような撮像装置においては、ＬＣＤで表示される画像を見やすくするため、撮像装置の周囲の明るさにあわせて画面の明るさが調整される。この明るさ調整は、例えば、被写体像を撮像する撮像素子を用いて被写体の明るさを測光し、その測光結果に基づいてＬＣＤのバックライトの光量を調整することによって行われている（例えば、特許文献１参照）。
【特許文献１】特開平１１−１６４１８０号公報
【発明の開示】
【発明が解決しようとする課題】
【０００３】
ところで、撮像素子を用いてＬＣＤの明るさを調整する場合、被写体の明るさを適正にするには、被写体へのピントがあっていることが好ましい。撮像素子を用いた焦点合わせとしては、コントラストＡＦと呼ばれる手法が知られている。このコントラストＡＦでは、撮像装置から被写体に向かう方向に対して撮影レンズを前後に動かしつつ、被写体像のコントラストを検出する。そして、そのコントラストが最大の位置を合焦位置とする。
【０００４】
このコントラストＡＦでは、撮影レンズを動かしつつ合焦位置を探しているため、ピントを合わせるまでの時間が長くなる。そのため、撮像素子で測光し、その測光結果に基づいてＬＣＤの明るさを調整すると、画面の明るさ調整に時間を要する。
【０００５】
そこで、本発明の目的は、撮像装置に設けられており、画面の明るさを短時間で調整可能な表示装置を提供することである。
【課題を解決するための手段】
【０００６】
上記課題を解決するために、本発明に係る表示装置は、被写体の画像が結像された一対のラインセンサの出力信号を積分して一対の測距演算用データを生成し、その一対の測距演算用データに基づいて被写体までの距離を演算するパッシブ測距方式の測距手段と、被写体の画像を撮像する撮像手段とを備える撮像装置に設けられ、撮像手段によって撮像された被写体の画像を表示する表示装置であって、撮像手段によって撮像された被写体の画像を表示する表示部と、出力信号が積分されて測距演算用データが測距手段において生成されるまでの積分時間を検出する積分時間検出部と、積分時間検出部によって検出された積分時間に基づいて表示部の明るさを制御する明るさ制御部とを備えることを特徴とする。
【０００７】
上記パッシブ測距方式は、一対のラインセンサの出力信号から生成された一対の測距演算用データに基づいて相関演算を実行し、その相関演算により得られた相関値のうち最大の相関度を示す最小極小値（ピーク値）に基づいて被写体までの距離を演算する方式である。この方式において相関演算を実施するデータには一定以上の信号値を要するので、上述したように一対のラインセンサからの出力信号を蓄積（積分）して測距演算用データが生成される。そのため、測距離演算用データの生成時間は、被写体像の明るさを表している。
【０００８】
上記表示装置によれば、測距演算用データを生成するまでの時間を積分時間検出部が検出する。そして、その検出結果に基づいて明るさ制御部が表示部の明るさを調整する。パッシブ測距方式の測距手段では、コントラストＡＦと異なり、レンズを動かして合焦位置を探した後に測光する必要がないため、より短い時間で表示部の明るさを調整することが可能である。
【０００９】
また、本発明に係る表示装置において表示部は、液晶表示パネルと、液晶表示パネルを照明するバックライトとを有しており、明るさ制御部は、バックライトの光量を制御することによって表示部の明るさを制御することが好ましい。この場合、バックライトの光量を調整することで容易に表示部の明るさを調整できる。
【００１０】
更に、本発明に係る表示装置において、上記撮像装置が備える測距手段は、一対のラインセンサからの出力信号を受けて一対の測距演算用データを生成する信号処理部を有し、信号処理部は、一対の測距演算用データを生成する間、データ生成信号を積分時間検出部に出力し続け、積分時間検出部は、データ生成信号を受けている時間を計測することが好適である。
【００１１】
この場合、信号処理部が測距演算用データを生成している間、データ生成信号が出力されているので、その信号の継続時間を計測することにより、一対のラインセンサの出力信号から測距演算用データが生成されるまでの時間が検出される。
【発明の効果】
【００１２】
本発明によれば、撮像装置に設けられており、画面の明るさを短時間で調整可能な表示装置を提供することができる。
【発明を実施するための最良の形態】
【００１３】
以下、図面を参照して本発明の好適な実施形態について説明する。
【００１４】
図１は、本実施形態に係る表示装置が適用されたカメラ（撮像装置）１０の正面斜視図である。図１に示すカメラ１０は、デジタルカメラであって、その正面には、撮像素子１２に被写体を結像させる撮影レンズ１４、被写体までの距離を測定するパッシブ測距方式の測距手段１６が内蔵されているセンサ窓１８、撮影者がシャッタレリーズを指示する際に操作するシャッタボタン２０、及び、静止画撮影や動画撮影などの撮影モードを選択するモードダイヤル２２等が設けられている。
【００１５】
図２は、図１のカメラ１０の背面斜視図である。カメラ１０の背面には、カメラ１０の電源のオン・オフの切り替えを行う電源スイッチ２４、被写体像などを表示するＬＣＤ表示パネル２６、ＬＣＤ表示パネル２６のオン・オフの切り替え行う表示ボタン２８、撮影モードと再生モードとを切り替えるモードスイッチ３０、及び、ズーム操作の指示及びズーム量の調整や再生時の画像送りなどを操作するマルチファンクションボタン３２等が設けられている。
【００１６】
図３は、カメラ１０のブロック図である。図３を参照して、カメラ１０の構成をより詳細に説明する。
【００１７】
カメラ１０は、撮像手段３４、信号処理部３６、Ａ／Ｄ変換部３８、画像処理部４０、ＳＤＲＡＭ（Syncronous Dynamic Random Access Memory）４２、フラッシュメモリＲＯＭ (Read Only Memory)４４、アイリス・シャッタ部４６、測光部４８、ズーム部５０、モータドライバ５２Ａ，５２Ｂ，５２Ｃ、コントラストＡＦ（Auto Focus）部５４、撮像素子制御部５６、測距手段１６、表示装置５８を含んで構成される。
【００１８】
撮像手段３４は、撮影レンズ１４と撮像素子１２とを含んでいる。撮影レンズ１４は、モータドライバ５２Ｂ，５２Ｃ等により駆動されるズームレンズ鏡胴などに保持されており、撮像素子１２に対して位置が変えられるようになっている。なお、撮影レンズ１４は、複数のレンズ系からなっていてもよい。撮像素子１２は、撮影レンズ１４により結像された被写体像を撮像して電気信号として出力する。撮像素子１２はＣＣＤであって、撮像素子制御部５６により制御される。より具体的には、撮像素子制御部５６が、ＴＧドライバ及びＶドライバを制御して撮像素子１２に蓄積された電荷を信号処理部３６に出力させる。
【００１９】
信号処理部３６は、ＣＤＳ回路を用いて撮像素子１２からの電気信号からノイズ除去し、ＡＧＣ回路を用いて所定レベルで利得が一定になるように利得調整する。信号処理部３６は、ＡＧＣ回路で利得調整された電気信号をＡ／Ｄ変換部３８に入力する。Ａ／Ｄ変換部３８は、信号処理部３６からの電気信号を１０ｂｉｔ又は１２ｂｉｔのデジタル信号（画像データ）に変換して画像処理部４０に入力する。
【００２０】
画像処理部４０は、ＳＤＲＡＭ４２を用いて、Ａ／Ｄ変換部３８から入力された画像データを、ＲＧＢ利得調整、補完処理、ＹＵＶ変換、ＬＰＦ処理及びＪＰＥＧ圧縮などの各種画像処理を実施してフラッシュメモリＲＯＭ４４に格納し、また、カメラ１０に挿入され取外し可能な記憶媒体であるメモリカードにも格納する。
【００２１】
アイリス・シャッタ部４６は、測光部４８により測光される周囲の明るさに応じて撮像素子１２の信号蓄積量が適正な信号蓄積量になるようにモータドライバ５２Ａにより絞りを調整する。また、適正絞り値より規定の撮影時間後にシャッタが閉じるようモータドライバ５２Ａにより駆動される。ズーム部５０は、マルチファンクションボタン３２などによりズーム操作などをする指示が入力されると、その指示内容（ズーム量）に応じてモータドライバ５２ＢをＤＣ駆動して撮影レンズ１４の位置を調整する。
【００２２】
コントラストＡＦ部５４は、いわゆるコントラストＡＦ測距を実施する。すなわち、コントラストＡＦ部は、Ａ／Ｄ変換部３８からの画像データに基づいて撮像素子１２により撮像された被写体像のコントラストを検出する。コントラストＡＦ部５４は、検出した結果に応じてモータドライバ５２Ｃをパルス駆動して、撮像素子１２に対して撮影レンズ１４を合焦位置に合わせる。
【００２３】
より詳細に説明すると、コントラストＡＦ部５４は、撮影レンズ１４を撮像素子１２から離れる方向に動かした場合に、被写体像から得られるコントラストが増加していると、更にその方向に撮影レンズ１４を動かす。一方、撮影レンズ１４を上記方向に動かした場合に、コントラストが低下すると、撮影レンズ１４を反対側に動かし、コントラストが最大のところになるように撮影レンズ１４の位置を調整する。
【００２４】
測距手段１６は、パッシブ測距方式に基づいて被写体までの距離を算出する。測距手段１６は、センサユニット６０と演算処理部６２とを備える。センサユニット６０は、被写体の画像が結像された一対のラインセンサの出力信号を積分して一対の測距演算用データを生成して演算処理部６２に入力する。演算処理部６２は、その一対の測距演算用データに基づいて被写体までの距離を演算する。この測距手段１６で実行される処理をパッシブＡＦ測距と称す。なお、測距手段１６は、測距結果に応じてモータドライバ５２Ｃを駆動し撮影レンズ１４を移動させてもよいし、測距結果をコントラストＡＦ部５４に入力し、コントラストＡＦ部５４を介して撮影レンズ１４を移動させてもよい。
【００２５】
表示装置５８は、フラッシュメモリＲＯＭ４４から表示すべき画像データを読み出してＬＣＤ表示パネル２６に表示する。表示装置５８は、ＬＣＤ表示部６４と、ＬＣＤ制御部６６と、バックライト調整部６８とを備える。
【００２６】
ＬＣＤ表示部６４は、画像や撮影状況などを表示するＬＣＤ表示パネル２６と、ＬＣＤ表示パネル２６を照明するバックライト７０とを含んでいる。バックライト７０は、光量を変えることができる光源からなっている。ＬＣＤ制御部６６は、フラッシュメモリＲＯＭ４４からの画像データを、ＪＰＥＧ伸張、ＲＧＢ変換、画素間間引きなどの各種画像処理を実施した後にその画像データに基づいてＬＣＤ表示パネル２６を駆動する。なお、ＬＣＤ制御部６６における画像処理もＳＤＲＡＭ４２を利用して実施される。また、ＬＣＤ制御部６６は、バックライト調整部６８からの制御信号に応じてバックライト７０の光量を調整する。
【００２７】
上述した画像処理部４０、測光部４８、ズーム部５０、コントラストＡＦ部５４、撮像素子制御部５６、演算処理部６２、ＬＣＤ制御部６６、バックライト調整部６８は、ＤＳＰ(Digital Signal Processor)においてソフトウェアとして構成されている。ＤＳＰは上記各種機能のほかにも、Ａ／Ｄ変換部３８から入力される画像データに変化があるか否か（画像が変化しているか否か）の判断なども実施する。更に、カメラ１０には、上記ＤＳＰ以外に、カメラ１０の他の機能を制御するＣＰＵなどのハードウェアも備えている。
【００２８】
上記ＬＣＤ表示部６４では、撮像素子１２で撮像された画像や撮影状況などが表示されるが、周囲の明るさに合わせてバックライト７０が適切に調整されていないと、画像が見にくい場合がある。本実施形態に係るカメラ１０では、測距手段１６で被写体までの距離を測る際に得られる一対の測距演算用データを生成する時間に応じてＬＣＤ表示パネル２６の明るさを調整することを特徴とする。
【００２９】
以下に、本実施形態の表示装置５８と、測距手段１６とについてより詳細に説明する。図４は、測距手段１６と表示装置５８との接続関係を示すブロック図である。
【００３０】
測距手段１６は、上述したようにセンサユニット６０と演算処理部６２とを有する。センサユニット６０は、パッシブ測距用の左右一対の結像レンズ７２Ｌ，７２Ｒ、左右一対のラインセンサ７４Ｌ，７４Ｒ及びラインセンサ制御回路（信号処理部）７６を含んで構成される。演算処理部６２は、ラインセンサ制御部７８、Ａ／Ｄ変換部８０、センサデータ格納部８２、相関演算部８４、ウインドウシフト部８６、極小値判定部８８、測距エラー判定部９０及び距離演算部９２を含んで構成される。
【００３１】
まず、センサユニット６０の上記各構成要素について説明する。
【００３２】
ラインセンサ７４L，７４Ｒは、例えば、２３４個などの多数に分割されたフォトダイオードなどのセル（画素）が直線状に配列されて構成される。ラインセンサ７４Ｌ，７４Ｒには、左右一対の結像レンズ７２Ｌ，７２Ｒを通して被写体９４の一対の画像が結像される。ラインセンサ７４Ｌ，７４Ｒの各セルには、その出力信号を取り出す際に使用されるセル番号が付されている。
【００３３】
ラインセンサ制御回路７６は、演算処理部６２のラインセンサ制御部７８からの要求信号に応じてラインセンサ７４Ｌ，７４Ｒを制御し、ラインセンサ７４Ｌ，７４Ｒの各セルからセル番号と関連付けて輝度信号を入力する。そして、ラインセンサ制御回路７６は、入力した輝度信号を積分（加算）処理することにより、相関演算に使用するためのセンサデータを各セル毎にセル番号に関連付けて生成する。
【００３４】
上記積分処理は、ラインセンサ７４Ｌ，７４Ｒから得た各セルの出力信号をセルごとに積分し、それらの積分値を生成する処理である。なお、本実施形態において上述したセンサデータとは、各セルの出力信号の積分値を所定の基準値から減算した値である。そのため、センサデータは、受光した光量が多いほど低い値を示す。
【００３５】
また、積分処理は、ラインセンサ７４Ｌ，７４Ｒに含まれるセルのセンサデータがすべて所定の積分終了値に達すると、測距を行うのに十分なセンサデータが得られたと判断して終了する。本実施形態では、積分処理が終了した場合の各ラインセンサ７４Ｌ，７４Ｒに含まれる各セルのセンサデータ群を測距演算用データと称す。
【００３６】
ラインセンサ制御回路７６は、一対のラインセンサ７４Ｌ，７４Ｒの出力信号から一対の測距演算用データを生成するまでの間（積分処理を実行している間）、データ生成信号をバックライト調整部６８に送信している。データ生成信号としては、例えば、Ｌｏｗレベル信号である。
【００３７】
次に、演算処理部６２の各構成要素について説明する。
【００３８】
ラインセンサ制御部７８は、測距処理の開始に伴いセンサユニット６０のラインセンサ制御回路７６に要求信号を出力してラインセンサ制御回路７６に一対の測距演算用データを生成させる。ラインセンサ制御部７８は、以下の９つの場合にラインセンサ制御回路７６に要求信号を出力する。
【００３９】
（１）．電源スイッチ２４が押されてオン状態になった場合
（２）．カメラモードとして静止画撮影モードが選択された場合
（３）．カメラモードとして動画撮影モードが選択された場合
（４）．カメラモードとして画像再生モードが選択された場合
（５）．（２）において撮影モードとして１コマ撮影モードが選択された場合
（６）．（２）において撮影モードとして連写モードが選択された場合
（７）．（６）において２コマ目撮影〜最終コマ撮影の間の各コマの撮影前
（８）．（３）においてシャッタボタン２０が押された場合
（９）．（８）において撮影が終了した場合。
【００４０】
Ａ／Ｄ変換部８０は、ラインセンサ制御回路７６からの一対の測距演算用データに含まれる各センサデータをデジタル信号に変換してセンサデータ格納部８２に入力する。センサデータ格納部８２は、Ａ／Ｄ変換部８０から入力された一対の測距演算用データに含まれるセンサデータをラインセンサ７４Ｌ，７４Ｒの各セルの番号と関連付けたセンサデータとして格納する。
【００４１】
ウインドウシフト部８６は、センサデータ格納部８２に格納された測距演算用データから相関演算に使用する一対のセンサデータを読み出すための一対のウインドウ９６Ｌ，９６Ｒのシフト操作を制御する。
【００４２】
ここで、図５を参照して、ウインドウシフト部８６のウインドウ９６Ｌ，９６Ｒの操作の一例を示す。ウインドウシフト部８６は、ラインセンサ７４Ｌ，７４Ｒ上にそれぞれ一部重複して設定されたセンサ領域である中央エリア９８、左中エリア１００ｍ、右中エリア１０２ｍ、左エリア１００、右エリア１０２の５つの測距エリア単位ごとに、センサデータ格納部８２から一群のセンサデータをそれぞれ読み出して相関演算させるように、一対のウインドウ９６Ｌ，９６Ｒのシフト操作を制御する。この場合、ウインドウシフト部８６は、例えば、中央エリア９８、左中エリア１００ｍ、左エリア１００、右中エリア１０２ｍ、右エリア１０２の順に一対のウインドウ９６Ｌ，９６Ｒのシフト操作を制御する。
【００４３】
図４及び図５を参照すると、相関演算部８４は、ラインセンサ７４Ｌ，７４Ｒ上にそれぞれ設定された各測距エリア９８，１００，１０２単位で一対のウインドウ９６Ｌ，９６Ｒが交互に１づつ相対的にシフト操作されるごとに、センサデータ格納部８２から一群のセンサデータを読み出して相関演算を実行する。この相関演算は、一方のウインドウ９６Ｌにより読み出された一群のセンサデータと、他方のウインドウ９６Ｒにより読み出された一群のセンサデータとの間における各センサデータ同士の差分の絶対値を求め、その絶対値の総和を相関値として求めるものである。相関演算により得られる相関値は、値が小さいほど相関度が高く、一対のラインセンサ７４Ｌ，７４Ｒ上に結像された被写体９４の画像が相互に似ていることを示す。
【００４４】
ここで、被写体９４が遠距離に位置する場合には、一対の結像レンズ７２Ｌ，７２Ｒを通して一対のラインセンサ７４Ｌ，７４Ｒ上に結像される被写体９４の一対の画像の位置ズレが小さくなり、被写体９４が近距離に位置するほど、一対のラインセンサ７４Ｌ，７４Ｒ上に結像される被写体９４の一対の画像の位置ズレが大きくなる。そして、一対の画像の位置ズレの大小は、一対の画像が相互に似ていることを示す相関度が最大となるまでの一対のウインドウ９６Ｌ，９６Ｒのシフト量、換言すれば、相関演算により得られた相関値が最小極小値またはピーク値となるに至るまでの一対のウインドウ９６Ｌ，９６Ｒのシフト量として検出することができる。
【００４５】
極小値判定部８８は、ラインセンサ７４Ｌ，７４Ｒの各測距エリア９８，１００，１０２単位ごとに相関演算された相関値のうち、相関度が最大となる最小極小値を予め設定された相関度の基準値と比較する。そして、この基準値より小さい最小極小値を測距演算に有効な有効極小値として各測距エリア９８，１００，１０２単位ごとに判定する。
【００４６】
測距エラー判定部９０は、極小値判定部８８により認定された極小値について測距エラーとするか否かの判定を行う。この測距エラー無しの判定信号が入力されることにより、距離演算部９２が一連の演算処理を開始する。
【００４７】
距離演算部９２は、測距エラーなしと判断された有効極小値に対応するウインドウ９６Ｌ，９６Ｒのシフト量を決定し、そのシフト量に基づいて被写体９４までの距離を演算する。距離演算部９２は、算出距離のうち最も近い距離を基準として、この基準距離から遠方側へ設定された所定距離範囲に含まれる他の測距エリアの算出距離との差をそれぞれ求め、得られたそれぞれの距離差の平均値を基準距離に加算することにより、被写体像までの最終的な距離を決定する。なお、所定距離範囲は、被写界深度などのピントの合う範囲として設定される。
【００４８】
上記構成の測距手段１６は、図６に示すフローチャートに従って測距を実施する。まず、パッシブＡＦ測距設定処理を実行する（Ｓ１０）。すなわち、測距エリアの設定やウインドウのシフト開始位置などを設定する。また、ラインセンサ制御回路７６がラインセンサ制御部７８からの要求信号に基づいてラインセンサ７４Ｌ，７４Ｒから輝度信号をセル番号に関連付けて取り込む。次に、一対のラインセンサ７４Ｌ，７４Ｒの輝度信号から一対の測距演算用データを生成するための積分処理を実行する（Ｓ１１）。一対の測距演算用データが生成されると、それらのデータに含まれる各センサデータをＡ／Ｄ変換部８０でＡ／Ｄ変換して、センサデータ格納部８２に格納する（Ｓ１２）。
【００４９】
続いて、相関演算部８４が、一対のウインドウ９６Ｌ，９６Ｒに含まれる一対のセンサデータに対して相関演算を実行し最小極小値を算出する（Ｓ１３）。更に、極小値判定部８８が測距演算に有効な最小極小値を有効極小値として判定する（Ｓ１４）と、測距エラー判定部９０が有効極小値について測距エラーとするか否かの判定を行う（Ｓ１５）。そして、距離演算部９２が、測距エラーなしと判断された有効極小値に対応するウインドウ９６Ｌ，９６Ｒのシフト量を決定し、そのシフト量に基づいて被写体９４までの距離を演算する（Ｓ１６）。
【００５０】
次に、図４を参照して、表示装置５８について説明する。上述したように表示装置５８は、ＬＣＤ表示部６４と、ＬＣＤ制御部６６と、バックライト調整部６８とを含んでいる。バックライト調整部６８は、積分時間検出部１０４と、明るさ制御部１０６とから構成される。
【００５１】
積分時間検出部１０４は、ラインセンサ制御回路７６からバックライト調整部６８に送られるデータ生成信号に基づいてセンサデータが生成されるまでの時間、すなわち、積分処理に要した時間を検出する。積分時間検出部１０４は、上記測距手段１６が測距を開始する（１）〜（９）の場合のうち、（４）〜（６）及び（８）の場合に、上記積分時間を検出する。積分時間検出部１０４は、積分時間を検出すると、その積分時間に相当する出力信号（積分時間信号）を明るさ制御部１０６に出力する。
【００５２】
明るさ制御部１０６は、積分時間検出部１０４からの積分時間信号に応じてＬＣＤ表示パネル２６で表示する画像の明るさを決定してＬＣＤ制御部６６に入力する。ここで、図７を参照して、積分時間に基づいて明るさを制御できる原理について説明する。
【００５３】
図７は、ラインセンサ７４Ｌ（又は７４Ｒ）に結像される被写体像の輝度と積分処理に要する積分時間と輝度との関係を示す。図７の縦軸は輝度（ＬＶ）を示し、横軸が積分時間（ｍＳｅｃ）を示している。図７に示すように、輝度が大きいときにはラインセンサ７４Ｌ，７４Ｒに含まれるセルのセンサデータすべてが所定の積分終了値に達するまでの時間が短くてすむので、積分時間が短い。逆に、輝度が小さいときには、所定の積分終了値に達するまでの時間が長くなるため、積分時間が長くなっている。すなわち、積分時間は、被写体像の明るさの情報に相当する。
【００５４】
そのため、明るさ制御部１０６（図４）は、積分時間検出部１０４で検出された積分時間が短い場合、ＬＣＤ表示パネル２６を暗く表示するようにバックライト７０の光量を決定する。また、積分時間が長い場合、ＬＣＤ表示パネル２６を明るく表示するようにバックライト７０の光量を決定する。
【００５５】
ＬＣＤ制御部６６は、ＬＣＤ表示パネル２６に画像や撮影状況を表示する操作が実行された場合（積分時間検出部１０４が積分時間を検出する場合に相当）には、例えばフラッシュメモリＲＯＭ４４から画像データを読み出して、上述した各種画像処理を施す。そして、ＬＣＤ制御部６６は、そのような画像処理が施された画像データに基づいてＬＣＤ表示パネル２６を駆動する。また、ＬＣＤ制御部６６は、明るさ制御部１０６から入力された制御信号であって、明るさ制御部１０６で決定されたバックライト７０の光量に変更する旨の信号に基づいてバックライト７０の光量を変更して、ＬＣＤ表示パネル２６を照明する。
【００５６】
上記カメラ１０に設けられている上記構成の表示装置５８は、図８に示すフローチャートの手順に従ってＬＣＤ表示部６４の明るさを調整する。
【００５７】
まず、積分時間検出部１０４は、カメラ１０の状態が上記（４）〜（６）及び（８）の各場合であることを判断すると、ラインセンサ制御回路７６で生成される一対の測距演算用データの生成時間を検出する（Ｓ２０）。すなわち、カメラ１０の状態が、上記（４）〜（６）及び（８）のいずれかになった際に、ラインセンサ制御回路７６から送られるデータ生成信号の検出を開始し、そのデータ生成信号の出力が停止するまでの時間を計測する。そして、検出した積分時間に相当する積分時間信号を明るさ制御部１０６に入力する。
【００５８】
明るさ制御部１０６は、積分時間信号に相当する積分時間に応じてバックライト７０の光量を決定する（Ｓ２１）。そして、その光量に応じて、ＬＣＤ制御部６６が、バックライト７０の光量を変更する（Ｓ２２）。
【００５９】
上記（５）、（６）及び（８）の場合には、ＬＣＤ制御部６６は、フラッシュメモリＲＯＭ４４から読み込んでいる画像データに応じてＬＣＤ表示パネル２６を駆動して画像を表示する。また、（４）の場合には、更に、カメラモードが変更されておらず、かつ、電源がオフになっていないことが確認された後に、画像をＬＣＤ表示パネル２６に表示する。
【００６０】
次に、図９及び図１０を参照して、上述した表示装置５８を備えたカメラ１０の動作について説明する。図９及び図１０は、カメラ１０が備えるＣＰＵ及びＤＳＰにより実行されるカメラ１０の動作のフローチャートである。
【００６１】
まず、撮影者が電源スイッチ２４を押して電源がオンの状態になると、測距手段１６がパッシブＡＦ測距を実施し（Ｓ３０）、その測距結果に応じて撮影レンズ１４の位置を調整する。次に、ＣＰＵは、カメラモードの選択状態を判断する。すなわち、カメラモードが静止画撮影モードか、動画撮影モードか、画像再生モードかを判断する（Ｓ３１）。
【００６２】
ステップＳ３１において、撮影者が静止画像撮影モードを選択している場合について説明する。この場合、測距手段１６が再度パッシブＡＦ測距を実施（Ｓ３２）し、その測距結果に応じて撮影レンズ１４の位置を調整する。
【００６３】
次に、ズーム部５０は、ズーム移動指示があるか否かを判断する（Ｓ３３）。ズーム移動指示がある場合（Ｓ３３で「Ｙｅｓ」）には、ズーム部５０がその指示内容に応じて撮影レンズ１４を移動させて、ステップＳ３２に戻る。また、ズーム指示がない場合（Ｓ３３で「Ｎｏ」）には、ＤＳＰがＳ３３のステップの間に撮像素子１２に結像されている被写体像が変化しているか否かを判断する、すなわち、ＤＳＰが、画像変化を検出したか否かを判断する（Ｓ３４）。
【００６４】
画像変化を検出した場合（Ｓ３４で「Ｙｅｓ」）にはステップＳ３２に戻る。また、画像変化を検出しなかった場合（Ｓ３４で「Ｎｏ」）には、ＣＰＵは、カメラモードの変更の有無を判断する（Ｓ３５）。カメラモードの変更が有った場合（Ｓ３５で「Ｙｅｓ」）にはステップＳ３２に戻る。また、カメラモードの変更が無かった場合（Ｓ３５で「Ｎｏ」）には、電源がオフになっているか否かを判断する（Ｓ３６）。
【００６５】
撮影者が電源スイッチ２４を押して電源がオフになっている場合（Ｓ３６で「Ｙｅｓ」）は操作を終了する（図１０参照）。電源がオフになっていない場合（Ｓ３６で「Ｎｏ」）には、シャッタボタン２０がＯＮになったか（押されたか）否かの判断を行う（Ｓ３７）。シャッタボタン２０が撮影者により押されていない場合（Ｓ３７で「Ｎｏ」）にはステップＳ３３に戻る。シャッタボタン２０が撮影者により押されている場合（Ｓ３７で「Ｙｅｓ）には、図１０に示すように、ＣＰＵは、撮影モードの選択状態を判断する（Ｓ３８）。すなわち、撮影モードが１コマ撮影モードか連写モードかを判断する。
【００６６】
ステップＳ３８において、撮影者により撮影モードとして１コマ撮影モードが選択されている場合について説明する。この場合、測距手段１６がパッシブＡＦ測距を実施し（Ｓ３９）、測距結果に応じて撮影レンズ１４の位置を調整する。この際、ＤＳＰは、ＬＣＤ表示部６４の明るさの調整をする（Ｓ４０）。
【００６７】
すなわち、積分時間検出部１０４は、パッシブＡＦ測距（Ｓ３９）において、一対の測距演算用データが生成されるまでの時間を検出し、その検出結果に相当する積分時間信号を明るさ制御部１０６に入力する。明るさ制御部１０６は、入力された積分時間信号に基づいてバックライト７０の光量を決定して、その光量に対応する明るさ信号をＬＣＤ制御部６６に送る。ＬＣＤ制御部６６は、明るさ制御部１０６からの明るさ信号に基づいてバックライト７０の光量を調整する。この際、ＬＣＤ制御部６６は、撮像素子１２で撮像されＤＳＰで画像処理が施されている画像データを、フラッシュメモリＲＯＭ４４を介して取り込みＬＣＤ表示パネル２６に表示する。
【００６８】
次に、コントラストＡＦ部５４がコントラストＡＦ測距を実施する（Ｓ４１）。すなわち、コントラストＡＦ部５４は、Ａ／Ｄ変換部８０から入力される画像データに基づいて被写体像のコントラストを検出し、その検出結果に応じて撮影レンズ１４を移動させる。コントラストＡＦ部５４は、コントラスの検出と撮影レンズ１４の移動とを複数回繰り返してピントを合わせる。
【００６９】
コントラストＡＦ部５４によって、撮影レンズ１４が合焦位置に調整されると、撮影を実施し（Ｓ４２）、ステップＳ３２に戻る（図９参照）。撮影により得られた被写体像（画像）は、ＤＳＰにおいて画像処理が実施されてフラッシュメモリＲＯＭ４４及び記憶媒体であるメモリカードに格納される。
【００７０】
次に、Ｓ３８において撮影者が連写モードを選択している場合について説明する。この場合には、Ｓ４３〜Ｓ４５の各ステップにおいて、Ｓ３９〜Ｓ４１の各ステップと同様の処理が実施された後に、１コマ目の撮影が実施される（Ｓ４６）。１コマ目の撮影を終了すると、測距手段１６がパッシブＡＦ測距を実施し（Ｓ４７）、その測距結果に応じて撮影レンズ１４の位置を調整した後に、２コマ目の撮影を実施する（Ｓ４８）。この撮影とパッシブＡＦ測距とを、パッシブＡＦ測距を実施した（Ｓ４９）後に最終コマの撮影（Ｓ５０）をするまで実行する。最終コマの撮影が終了すると、ステップＳ３３に戻る（図９参照）。
【００７１】
続いて、図９に示すステップＳ３１において、撮影者が動画撮影モードを選択している場合について説明する。この場合、Ｓ５１〜Ｓ５６の各ステップにおいて、Ｓ３２〜Ｓ３７の各ステップと同じ処理を実施する。ただし、ステップＳ５２において、ズーム部５０が、ズーム操作の指示がないと判断した場合（Ｓ５２で「Ｙｅｓ」）、及び、ステップＳ５３において、ＤＳＰが、ステップＳ５２の処理の間に被写体像が変化していると判断した場合（Ｓ５３で「Ｙｅｓ」）には、ステップＳ５１に戻る。
【００７２】
また、ステップＳ５４において、ＣＰＵが、カメラモードが変更されていないと判断した場合（Ｓ５４で「Ｙｅｓ」）には、ステップＳ３１に戻る。次に、ステップＳ５６において、ＣＰＵが、シャッタボタン２０がＯＮになっていない（すなわち、押し下げられていない）と判断した場合（Ｓ５６で「Ｎｏ」）には、ステップＳ５２に戻る。
【００７３】
上記ステップ５６の処理が終了すると、図１０に示すＳ５７〜Ｓ５９の各ステップにおいて、Ｓ３９〜Ｓ４１の各ステップと同様の処理を実施する。そして、ステップＳ６０において、動画撮影を実施する。この動画撮影を実施した後に再度パッシブＡＦ測距を実施し（Ｓ６１）、その測距結果に応じて撮影レンズ１４の位置を調整する。続いて、ＣＰＵは、シャッタボタン２０がＯＮされたか（押されたか）否かを判断する（Ｓ６２）。シャッタボタン２０が押されていない場合（Ｓ６２で「Ｎｏ」）には、ステップＳ６０に戻り撮影を続ける。シャッタボタン２０が押されている場合（Ｓ６２で「Ｙｅｓ」）には、ステップＳ５１に戻る（図９参照）。
【００７４】
次に、図９に示すステップＳ３１において、撮影者が画像再生モードを選択している場合について説明する。この場合、Ｓ６３及びＳ６４の各ステップの処理を実行する。すなわち、ステップＳ６３において、パッシブＡＦ測距を実施し、その測距結果に応じて撮影レンズ１４を移動させる。また、ステップＳ６４において、積分時間検出部１０４が積分処理の時間を検出し、それに基づいてバックライト７０の光量が決定される。
【００７５】
次に、ＣＰＵが、カメラモードの変更の有無を判断する（Ｓ６５）。カメラモードが変更されている場合（Ｓ６５で「Ｙｅｓ」）、ステップＳ３１に戻る。カメラモードが変更されていない場合（Ｓ６５で「Ｎｏ」）、ＣＰＵが、電源がＯＦＦか否かを判断する（Ｓ６６）。電源がＯＦＦの場合（Ｓ６６で「Ｙｅｓ」）、処理を終了する（図１０参照）。電源がＯＦＦでない場合、ＬＣＤ制御部６６が、フラッシュメモリＲＯＭ４４から取り込んだ画像をＬＣＤ表示パネル２６に再生する（Ｓ６７）。すなわち、フラッシュメモリＲＯＭ４４から読み込んだ画像データに各種画像処理を施し、その画像データに基づいてＬＣＤ表示パネル２６を駆動する。そして、ステップＳ６４で設定されているバックライト７０の光量によってＬＣＤ表示パネル２６を照明する。
【００７６】
上記動作に示すように、カメラ１０において、上述したＳ３０、Ｓ３２、Ｓ５１、Ｓ６１、Ｓ３９、Ｓ４３、Ｓ４７（Ｓ４９）、Ｓ５７、Ｓ６１の各ステップにおいて、測距手段１６は、パッシブＡＦ測距を実施する。これら９つの場合は、ラインセンサ制御部７８がラインセンサ制御回路７６に要求信号を出力する（１）〜（９）の場合に相当している。Ｓ３９、Ｓ４３、Ｓ５７、Ｓ６１の各ステップにおいて、測距手段１６がパッシブＡＦ測距を実施すると、Ｓ４０、Ｓ４４、Ｓ５８、Ｓ６４の各ステップに示すように、ＬＣＤ表示パネル２６で表示される画像の明るさ調整を実施している。そのため、撮影時及び画像再生時において、ＬＣＤ表示パネル２６の画像の明るさが周囲の明るさにあわせて調整される。そのため、ＬＣＤ表示パネル２６の画像がより見やすくなっている。
【００７７】
ところで、撮像素子１２にも被写体像は結像されているため、その被写体像の明るさに応じてＬＣＤ表示パネル２６の明るさを変更することも考えられる。この場合には、ＬＣＤ表示パネル２６の明るさを適正に調整するにはピントが合っている必要があるので、明るさの調整は、コントラストＡＦ測距を実施した後に実施される。このコントラストＡＦ測距では、撮影レンズ１４を実際に移動させながらピントを合わせているため、ピント調整に時間を要する。そのため、ＬＣＤ表示パネル２６の明るさ変更にも時間を要することになる。
【００７８】
また、撮像素子１２で測光をする場合には、画像再生時にＬＣＤ表示パネル２６の明るさを調整することが困難になる。より具体的には、画像再生時には、ＬＣＤ制御部６６もＳＤＲＡＭ４２を利用して画像処理を実施するが、撮像素子１２を利用して測光を実施する場合には、画像情報処理部もＳＤＲＡＭ４２を使用して画像処理を実施する必要がある。しかしながら、ＳＤＲＡＭ４２はそれらを並列に処理することは困難であり、適切に明るさを調整しにくい。
【００７９】
これに対して、本実施形態の表示装置５８では、カメラ１０が備えるパッシブ測距方式の測距手段１６を利用してＬＣＤ表示パネル２６に表示される画像の明るさを調整している。このパッシブＡＦ測距は、撮影レンズ１４から独立したパッシブタイプの外光測距方式である。そして、上記パッシブＡＦ測距では、コントラストＡＦ測距と異なり、測距のために撮影レンズ１４を動かす必要がない。したがって、まず、本実施形態の場合のように、ラインセンサ制御回路７６が測距演算用データを生成するまでの積分時間を被写体像の明るさと対応づけて、ＬＣＤ表示パネル２６で表示される画像の明るさを調整することによって、より短い時間でＬＣＤ表示パネル２６の明るさを調整することが可能である。
【００８０】
また、ステップＳ３１において、画像再生モードが選択されている場合でも、パッシブＡＦ測距を実施して、ＬＣＤ表示パネル２６の明るさを調整するようにしている。そのためＳＤＲＡＭ４２が画像再生のための画像処理を実施することができる一方、ＬＣＤ表示パネル２６の明るさを適正なものにすることも可能である。
【００８１】
以上、本発明に好適な実施形態について詳細に説明したが、本発明は上記実施形態に限定されるものではない。例えば、表示部は、ＬＣＤ表示パネルとバックライトとを含んで構成されているＬＣＤ表示部としているが、ＣＲＴでも可能である。
【００８２】
また、上記実施形態の場合は、パッシブＡＦ測距を実施する際すべてにおいて、ラインセンサ制御回路７６は、データ生成信号を積分時間検出部１０４に入力している。そして、積分時間検出部１０４は、（４）〜（６）及び（８）の場合に、データ生成信号の検出をするようにしている。しかし、例えば、次のようにしてもよい。すなわち、積分時間検出部からラインセンサ制御部に信号を送信して、測距手段にパッシブＡＦ測距を実施させ、一対の測距演算用データが生成されるまでの時間を検出するようにしてもよい。更に、本発明に係る表示装置が設けられている撮像装置は、デジタルカメラに限らず、ビデオカメラでもよい。
【図面の簡単な説明】
【００８３】
【図１】本実施形態に係る表示装置が適用されたカメラ１０の正面斜視図である
【図２】図１のカメラ１０の背面斜視図である。
【図３】図１のカメラ１０のブロック図である。
【図４】測距手段１６と表示装置５８との接続関係を示すブロック図である。
【図５】ウインドウシフト部８６のウインドウのシフト動作を示す模式図である。
【図６】測距手段１６の動作を示すフローチャートである。
【図７】輝度と積分時間との関係を示す図である。
【図８】表示装置５８におけるＬＣＤ表示部６４の明るさ調整の動作を示すフローチャートである。
【図９】表示装置５８を備えたカメラ１０の動作を説明するためのフローチャートである。
【図１０】表示装置５８を備えたカメラ１０の動作を説明するためのフローチャートである。
【符号の説明】
【００８４】
１０…カメラ（撮像装置）、１２…撮像素子、１４…撮影レンズ、１６…測距手段、２６…ＬＣＤ表示パネル、３4…撮像手段、５８…表示装置、６０…センサユニット、６２…演算処理部、６４…ＬＣＤ表示部、６６…ＬＣＤ制御部、７６…ラインセンサ制御回路（信号処理部）、７８…ラインセンサ制御部、１０４…積分時間検出部、１０６…明るさ制御部。
【図１】
2005260847.tif 000003
【図２】
2005260847.tif 000004
【図３】
2005260847.tif 000005
【図４】
2005260847.tif 000006
【図５】
2005260847.tif 000007
【図６】
2005260847.tif 000008
【図７】
2005260847.tif 000009
【図８】
2005260847.tif 000010
【図９】
2005260847.tif 000011
【図１０】
2005260847.tif 000012